(57)【要約】　　　（修正有）【課題】玄関先などに降り積もり、踏み固められて圧雪やアイスバーンとなった氷雪を、割り砕いて取り除くための氷雪割り具に関し、非力な人でも安全に作業ができるようにする。【解決手段】両端部が互いに反対方向に曲がった管状の保持柄１１と、保持柄１１の一端に挿入され着脱可能に固定される針状刃先固定棒１４と、針状刃先固定棒１４に挿入され着脱可能に固定される一本の針状刃先１２とからなる氷雪割り具１０の針状刃先１２において、針状刃先１２は氷雪に突き刺すための尖った円錐形状の先端部１２ａとした。【選択図】　　　　図４
0003097245.tif 000002
【実用新案登録請求の範囲】
【請求項１】
両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具の針状刃先において、針状刃先は氷雪に突き刺すための尖った円錐形状の先端部とした氷雪割り具の針状刃先。
【請求項２】
路面と氷雪の間に針状刃先をほぼ水平に挿入する請求項１記載の氷雪割り具の針状刃先。
【請求項３】
針状刃先の基部を針状刃先固定棒に挿入固定した状態で針状刃先の先端部から保持柄に挿入し、針状刃先固定棒を保持柄に固定可能とした請求項１記載の氷雪割り具の針状刃先。
【考案の詳細な説明】
【０００１】
【考案の属する技術分野】
本考案は、玄関先などに降り積もり、踏み固められて圧雪やアイスバーンとなった氷雪を、割り砕いて取り除くための氷雪割り具に関する。
【０００２】
【従来の技術】
【特許文献１】実公昭６０−２９４６２号公報
【特許文献２】実開昭５７−１６８５２０号公報
【０００３】
積雪地帯では、玄関先や歩道，屋外駐車場などの通路に冬季間に降り積もった雪が足や車に踏み固められ、圧雪やアイスバーンとなった氷雪は春先まで残り、通路に残っているとその氷雪に足をとられ危険なため、割り砕いて取り除くことが行われる。
【０００４】
従来、一般的に行われている氷雪を割り砕く作業には「つるはし」（ピッケル）が使用されている。「つるはし」はその重さを利用して打ち下ろし、氷雪を打ち砕くものであるが、「つるはし」の先端が氷雪で滑って足先に向かってきたり、打ち砕かれた氷雪片が四方に飛び散ったり、危険を伴う作業である。
【０００５】
さらに、「つるはし」は重いので、非力な婦女子や老人にはそれを使用して作業することすら不可能である。しかし、一般家庭ではそのような人が日中に家にいることが多く、そのような非力な人でも、安全に氷雪を割り砕く作業ができる道具が要望されている。
【０００６】
このような、非力な人でも安全に氷雪を割り砕く作業ができる道具として、実公昭６０−２９４６２号公報には、下端に切断刃を有する切断用平板の上端中央部に、この切断用平板の縦方向中心線を共有するように保持パイプを取付け、保持パイプ内に出入自在に突棒を挿入した圧雪用切断具が示されている。
【０００７】
この圧雪用切断具は、所要の切断箇所に切断用平板の切断刃をあてがい、突棒を上方に引上げ落下させるもので、落下した突棒の下端が切断用平板の上端に衝突し、その慣性力により生じた衝撃により切断刃が圧雪に喰い込み、圧雪が切断されるものである。なお、片手で保持パイプを持ち、もう一方の手で突棒を引上げ落下させる作業となる。また、切断刃は相当の幅があり効率良く破砕作業ができるが、その切断刃を圧雪に喰い込ませるため突棒も無垢の鉄棒のような相当の重さの物が必要となる。
【０００８】
また、実開昭５７−１６８５２０号公報には、伸縮自在な柄の上端に２つの補助剣先をもつ中央剣先を着脱自在に設けた結氷破砕具が示されている。
【０００９】
この結氷破砕具は、尖った先端部の剣先を放射状に３個設けたもので、トンネル内の結氷などを破砕して取りおろすのに有効であることが示されている。
【００１０】
【考案が解決しようとする課題】
上記の実公昭６０−２９４６２号公報に示される圧雪用切断具においては、切断刃に相当の幅があり、硬くアイスバーンとなった氷雪を切断するには突棒の重量も相当重い必要があり、ときにはそれを付勢して落下させる必要がある。そのため、成人男性にとっては可能な作業であるが、前記非力な人たちにとっては、重い突棒を持ち上げて落下させる作業を繰り返すことは、困難である。
【００１１】
また、実開昭５７−１６８５２０号公報に示される結氷破砕具においては、放射状の尖った先端部の剣先を厚い結氷に突きたてるには有効であるが、通路に薄く踏み固められた氷雪を上から突きたてて破砕するのでは、勢い余って路面に剣先を食い込ませ、剣先や路面を傷めてしまう。
【００１２】
さらに、剣先を着脱自在とすることが示されていて、不使用時に剣先を取り外しておくことで尖った剣先の危険を回避できるが、剣先を取り外しておくと紛失するおそれがある。
【００１３】
そこで本考案では、非力な人でも安全に作業ができ、通路に薄く踏み固められた氷雪の場合にも路面や針状刃先を傷めるおそれが無く、不使用時の尖った針状刃先の危険を回避しつつ紛失するおそれの無い、氷雪割り具の針状刃先を提供する事を目的とする。
【００１４】
【課題を解決するための手段】
請求項１の考案における氷雪割り具の針状刃先は、両端部が互いに反対方向に曲がった管状の保持柄１１と、保持柄１１の一端に挿入され着脱可能に固定される針状刃先固定棒１４と、針状刃先固定棒１４に挿入され着脱可能に固定される一本の針状刃先１２とからなる氷雪割り具１０の針状刃先１２において、針状刃先１２は氷雪２に突き刺すための尖った円錐形状の先端部１２ａとしたものである。
【００１５】
請求項２の考案における氷雪割り具の針状刃先は、路面１と氷雪２の間に針状刃先１２をほぼ水平に挿入するものである。
【００１６】
請求項３の考案における氷雪割り具の針状刃先は、針状刃先１２の基部を針状刃先固定棒１４に挿入固定した状態で針状刃先１２の先端部１２ａから保持柄１１に挿入し、針状刃先固定棒１４を保持柄１１に固定可能としたものである。
【考案の実施の形態】
【００１７】
請求項１の考案では、両端部が互いに反対方向に曲がった管状の保持柄１１と、保持柄１１の一端に挿入され着脱可能に固定される針状刃先固定棒１４と、針状刃先固定棒１４に挿入され着脱可能に固定される一本の針状刃先１２とからなる氷雪割り具１０の針状刃先１２において、針状刃先１２は氷雪２に突き刺すための尖った円錐形状の先端部１２ａとしたから、軽い管状の保持柄１１を両手で持ち、尖った先端部１２ａを氷雪２に突き刺すと氷雪２は割り砕ける。
【００１８】
請求項２の考案では、路面１と氷雪２の間に針状刃先１２をほぼ水平に挿入するから、路面１に薄く踏み固められた氷雪２の場合に、勢いよく作業しても路面１に針状刃先１２を食い込ませることが無い。
【００１９】
請求項３の考案では、針状刃先１２の基部を針状刃先固定棒１４に挿入固定した状態で針状刃先１２の先端部１２ａから保持柄１１に挿入し、針状刃先固定棒１４を保持柄１１に固定可能としたから、不使用時の尖った針状刃先１２の危険を回避しつつ保持柄１１に固定できる。
【００２０】
【実施例】
以下、本考案の一実施例につき図面を参照して説明する。
【００２１】
図１に示すのは、路面１に薄く踏み固められた氷雪２の場合に、路面１と氷雪２の間に針状刃先１２をほぼ水平に挿入する状態の氷雪割り具１０である。
【００２２】
図２に示すのは、路面１に厚く踏み固められた氷雪２の場合に、氷雪２にほぼ垂直に突き刺す状態の氷雪割り具１０である。
【００２３】
氷雪割り具１０には、両端部が互いに反対方向に約４５度の角度で曲がった管状の保持柄１１を設け、保持柄１１は薄肉の鋼管で全長が約１４０ｃｍの長さの両端から１４〜２０ｃｍの位置で曲げて形成される。
【００２４】
保持柄１１の上方となる端部には握り１３がはめ込まれ、下方となるもう一端に一本の針状刃先１２が装着される。
【００２５】
針状刃先１２が装着される保持柄１１の一端に挿入される、針状刃先固定棒１４を設ける。針状刃先固定棒１４は、略円筒棒状で、針状刃先１２が挿入される側と、使用時に保持柄１１内に挿入される側の外径は、保持柄１１の内径よりやや小さく形成され、その中間部は保持柄１１の内径よりやや大きい大径段部となっている。
【００２６】
針状刃先固定棒１４の使用時に保持柄１１内に挿入される側の中間部は径の小さい小径段部とし、保持柄１１の先端部上方から挿入される押しネジ１１ａがこの小径段部にはまり込み固定される。つまり、この押しネジ１１ａを締め付けたり緩めることにより、針状刃先固定棒１４が保持柄１１に着脱可能に固定される。
【００２７】
針状刃先固定棒１４に挿入される針状刃先１２を設ける。針状刃先固定棒１４の針状刃先１２が挿入される側の中心に針状刃先１２の基部の外径よりやや大きな径の取付け孔を開け、この取付け孔に針状刃先１２の基部が挿入され、針状刃先固定棒１４の先端部から挿入される押しネジ１４ａにより固定される。つまり、この押しネジ１４ａを締め付けたり緩めることにより、針状刃先１２が針状刃先固定棒１４に着脱可能に固定される。
【００２８】
針状刃先１２は、直径約６ｍｍの焼入れした鋼棒で形成され、その長さは約１６ｃｍとし、その基部の約３ｃｍが針状刃先固定棒１４に挿入され、その先端部１２ａは氷雪２に突き刺すために尖っており、その先端部１２ａから約５ｃｍの間に渡る円錐形状とした。
【００２９】
次に氷雪割り具１０の使用方法について説明する。
【００３０】
路面１に薄く踏み固められた氷雪２の場合には、図１に示すように、針状刃先１２をほぼ水平にした状態で、保持柄１１の中間部と握り１３を両手で持ち、氷雪割り具１０を押して路面１と氷雪２の間に針状刃先１２をほぼ水平に挿入し、引き戻して再び挿入する作業を繰り返す。
【００３１】
尖った円錐形状の先端部１２ａを路面１との間に挿入された氷雪２は、少ない力で細かく割り砕かれる。
【００３２】
このとき、路面１と氷雪２の間に針状刃先１２をほぼ水平に挿入し、路面１に薄く踏み固められた氷雪２の場合に、勢いよく作業しても路面１に針状刃先１２を食い込ませることが無いから、路面１や針状刃先１２を傷めるおそれが無い。
【００３３】
路面１に厚く踏み固められた氷雪２の場合には、図２に示すように、針状刃先１２をほぼ垂直にした状態で、保持柄１１の中間部と握り１３を両手で持ち、氷雪割り具１０を軽く上下する。
【００３４】
尖った円錐形状の先端部１２ａを突き刺された氷雪２は、少ない力で細かく割り砕かれる。踏み固められた氷雪２が薄くなれば、前記のように針状刃先１２をほぼ水平にした状態で割り砕く。
【００３５】
このとき、両端部が互いに反対方向に曲がった管状の保持柄１１と、保持柄１１の一端に挿入され着脱可能に固定される針状刃先固定棒１４と、針状刃先固定棒１４に挿入され着脱可能に固定される一本の針状刃先１２とからなる氷雪割り具１０の針状刃先１２において、針状刃先１２は氷雪２に突き刺すための尖った円錐形状の先端部１２ａとし、軽い管状の保持柄１１を両手で持ち、尖った先端部１２ａを氷雪２に突き刺すと氷雪２は割り砕けるから、非力な人でも安全に作業ができる。
【００３６】
氷雪２の割り砕き作業を終えた氷雪割り具１０は、押しネジ１１ａを緩め、図５に示すように針状刃先１２の基部を針状刃先固定棒１４に挿入固定した状態で保持柄１１から取り外し、図６に示すように針状刃先１２の先端部１２ａから保持柄１１に挿入し、押しネジ１１ａを締め付けて針状刃先固定棒１４を保持柄１１に固定し、保管する。
【００３７】
このとき、針状刃先１２の基部を針状刃先固定棒１４に挿入固定した状態で針状刃先１２の先端部１２ａから保持柄１１に挿入し、針状刃先固定棒１４を保持柄１１に固定可能とし、不使用時の尖った針状刃先１２の危険を回避しつつ保持柄１１に固定できるから、針状刃先１２を紛失するおそれが無い。
【００３８】
なお、再び使用する際には、押しネジ１１ａを緩め、針状刃先１２の基部を針状刃先固定棒１４に挿入固定した状態で保持柄１１から取り外し、図４に示すように針状刃先固定棒１４を保持柄１１に挿入し、押しネジ１１ａを締め付けて針状刃先１２を保持柄１１に固定する。
【００３９】
また、使用により、針状刃先１２の先端部１２ａが摩滅した際には、押しネジ１４ａを緩め、針状刃先固定棒１４から針状刃先１２を取り外して交換できる。
【００４０】
以上の実施例では、押しネジ１１ａにより針状刃先固定棒１４を保持柄１１に着脱可能に固定した例を示したが、簡単に着脱可能であればどのような方法でも良い。
【００４１】
【考案の効果】
請求項１の考案によれば、両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具の針状刃先において、針状刃先は氷雪に突き刺すための尖った円錐形状の先端部とし、軽い管状の保持柄を両手で持ち、尖った先端部を氷雪に突き刺すと氷雪は割り砕けるから、非力な人でも安全に作業ができる。
【００４２】
請求項２の考案によれば、路面と氷雪の間に針状刃先をほぼ水平に挿入し、路面に薄く踏み固められた氷雪の場合に、勢いよく作業しても路面に針状刃先を食い込ませることが無いから、路面や針状刃先を傷めるおそれが無い。
【００４３】
請求項３の考案によれば、針状刃先の基部を針状刃先固定棒に挿入固定した状態で針状刃先の先端部から保持柄に挿入し、針状刃先固定棒を保持柄に固定可能とし、不使用時の尖った針状刃先の危険を回避しつつ保持柄に固定できるから、針状刃先を紛失するおそれが無い。
【図面の簡単な説明】
【図１】氷雪割り具の針状刃先の一実施例に係る側面図である。
【図２】その別の使用状態を示す図である。
【図３】図１の要部を示す部分拡大図である。
【図４】図３の一部を切り欠いた部分拡大図である。
【図５】図４の使用状態を示す図である。
【図６】図４の使用状態を示す図である。
【符号の説明】
１　路面
２　氷雪
１０　氷雪割り具
１１　保持柄
１２　針状刃先
１２ａ　先端部
１４　針状刃先固定棒
【図１】
0003097245.tif 000003
【図２】
0003097245.tif 000004
【図３】
0003097245.tif 000005
【図４】
0003097245.tif 000006
【図５】
0003097245.tif 000007
【図６】
0003097245.tif 000008